【手続補正書】
【提出日】平成25年7月16日(2013.7.16)
【手続補正１】
【補正対象書類名】特許請求の範囲
【補正対象項目名】全文
【補正方法】変更
【補正の内容】
【特許請求の範囲】
【請求項１】
画像を保持する画像サーバーと通信可能な画像処理装置の制御方法であって、
前記画像サーバーから、当該画像サーバーに保持されている画像を示す情報を取得して表示する表示工程と、
前記表示工程で表示された情報が示す画像と対応する画像データを前記画像サーバーに要求する要求工程と、
前記要求工程における要求に応じて画像データを前記画像サーバーから取得する取得工程と、
前記取得工程において取得される画像データが、前記要求工程において要求される画像に対応するか判定する判定工程と、
前記取得工程において取得される画像データが前記要求工程において要求される画像に対応すると前記判定工程において判定された場合、当該画像データに対して所定の処理を実行し、当該画像データが前記要求工程において要求される画像に対応すると前記判定工程において判定されなかった場合、当該画像データに対して当該所定の処理が実行されないように制御する制御工程と、
を有することを特徴とする画像処理装置の制御方法。
【請求項２】
前記表示工程において表示される情報は、前記画像サーバーに保持されている前記画像に対応するサムネール画像であることを特徴とする請求項１に記載の制御方法。
【請求項３】
前記判定工程では、前記取得工程において既に取得されている画像データが、前記要求工程において要求された画像に対応するか判定することを特徴とする請求項１または２に記載の制御方法。
【請求項４】
前記判定工程では、前記取得工程において既に取得されている画像データの画像タイプが、前記要求工程において要求される画像の所定のタイプに対応するか否かに基づき、前記判定が実行されることを特徴とする請求項３に記載の制御方法。
【請求項５】
前記表示工程では、前記画像サーバーに保持されている前記画像の画像属性も取得され、前記判定工程では、前記表示工程において取得された画像属性を前記所定のタイプとして、前記判定が実行されることを特徴とする請求項４に記載の制御方法。
【請求項６】
前記判定工程では、前記要求工程における画像データの要求と前記取得工程における画像データの取得の前に、当該取得処理により取得される画像データが、前記要求工程において要求される画像に対応するか判定されることを特徴とする請求項１または２に記載の制御方法。
【請求項７】
前記制御工程では、前記取得工程において取得される画像データが前記要求工程において要求される画像に対応すると前記判定工程において判定されなかった場合、前記取得工程における当該画像データが取得が行われないように制御することを特徴とする請求項６に記載の制御方法。
【請求項８】
前記表示工程において前記情報の取得が行われた後であって前記要求工程における画像データの要求の前に、ユーザにより選択された前記画像に対応する情報を再度取得し、前記判定工程では、前記表示工程において取得された情報と、再度取得された情報とが一致しない場合に、前記取得工程において取得される画像データが、前記要求工程において要求される画像に対応しないと判定されることを特徴とする請求項７に記載の制御方法。
【請求項９】
前記要求工程では、要求対象の画像に対応するＵＲＬを取得し、当該ＵＲＬに応じて当該画像を要求し、前記判定工程では、当該ＵＲＬに応じた当該画像データの要求の前に、当該ＵＲＬに基づき前記判定が実行されることを特徴とする請求項８に記載の制御方法。
【請求項１０】
前記画像サーバーは複数の画像を保持しており、前記表示工程では、当該複数の画像のそれぞれを示す情報を表示し、前記要求工程では、当該複数の画像のうちのユーザにより選択された画像に対応する画像データを要求することを特徴とする請求項１乃至９のいずれか１項に記載の制御方法。
【請求項１１】
前記制御工程において前記取得工程において取得される画像データに対して前記所定の処理が実行されない場合、前記表示工程において表示された前記情報が示す複数の画像のうちの、ユーザにより選択され且つ当該所定の処理が実行されない画像を通知する通知工程を有することを特徴とする請求項１０に記載の制御方法。
【請求項１２】
前記画像データに対する前記所定の処理は、当該画像データのメモリへの保存または当該画像データに基づく画像の印刷であることを特徴とする請求項１乃至１１のいずれか１項に記載の制御方法。
【請求項１３】
画像を保持する画像サーバーと通信可能な画像処理装置であって、
前記画像サーバーから、当該画像サーバーに保持されている画像を示す情報を取得して表示装置に表示させる表示制御手段と、
前記表示制御手段により表示された情報が示す画像と対応する画像データを前記画像サーバーに要求する要求手段と、
前記要求手段による要求に応じて画像データを前記画像サーバーから取得する取得手段と、
前記取得手段により取得される画像データが、前記要求工程において要求される画像に対応するか判定する判定手段と、
前記取得手段において取得される画像データが前記要求手段により要求される画像に対応すると前記判定手段により判定された場合、当該画像データに対して所定の処理を実行し、当該画像データが前記要求手段により要求される画像に対応すると前記判定手段により判定されなかった場合、当該画像データに対して当該所定の処理が実行されないように制御する制御手段と、
を有することを特徴とする画像処理装置。
【請求項１４】
請求項１乃至１２のいずれか１項に記載の制御方法または請求項１３に記載の画像処理装置の各手段をコンピュータに実行させるためのプログラム。
【手続補正２】
【補正対象書類名】明細書
【補正対象項目名】発明の名称
【補正方法】変更
【補正の内容】
【発明の名称】画像処理装置の制御方法、画像処理装置、およびプログラム
【手続補正３】
【補正対象書類名】明細書
【補正対象項目名】０００１
【補正方法】変更
【補正の内容】
【０００１】
本発明は、画像を保持する画像サーバーと通信可能な画像処理装置の制御方法、画像処理装置、およびプログラムに関する。
【手続補正４】
【補正対象書類名】明細書
【補正対象項目名】０００５
【補正方法】変更
【補正の内容】
【０００５】
上記の課題を鑑み本発明は、画像処理装置により取得される画像データが、画像処理装置により要求される画像に対応しない場合、当該画像データに対して当該所定の処理が実行されないように適切に制御することができる画像処理装置の制御方法、画像処理装置、およびプログラムを提供することを目的とする。
【手続補正５】
【補正対象書類名】明細書
【補正対象項目名】０００６
【補正方法】変更
【補正の内容】
【０００６】
本発明の制御方法は、画像を保持する画像サーバーと通信可能な画像処理装置の制御方法であって、前記画像サーバーから、当該画像サーバーに保持されている画像を示す情報を取得して表示する表示工程と、前記表示工程で表示された情報が示す画像と対応する画像データを前記画像サーバーに要求する要求工程と、前記要求工程における要求に応じて画像データを前記画像サーバーから取得する取得工程と、前記取得工程において取得される画像データが、前記要求工程において要求される画像に対応するか判定する判定工程と、前記取得工程において取得される画像データが前記要求工程において要求される画像に対応すると前記判定工程において判定された場合、当該画像データに対して所定の処理を実行し、当該画像データが前記要求工程において要求される画像に対応すると前記判定工程において判定されなかった場合、当該画像データに対して当該所定の処理が実行されないように制御する制御工程と、を有することを特徴とする。
【手続補正６】
【補正対象書類名】明細書
【補正対象項目名】０００７
【補正方法】変更
【補正の内容】
【０００７】
本発明によれば、画像処理装置により取得される画像データが、画像処理装置により要求される画像に対応しない場合、当該画像データに対して当該所定の処理が実行されないように適切に制御することができる。